(57)【特許請求の範囲】
【請求項１】
かご内ディスプレイを点検するかご内ディスプレイ点検装置であって、
画像の中に前記かご内ディスプレイが含まれるようにかご内を撮影するかご内カメラから前記画像の情報を取得し、前記画像の中の前記かご内ディスプレイに対応する部分であるディスプレイ対応画像部分の情報を用いて、前記かご内ディスプレイの表示が正常であるか否かを判定する判定装置を備え、
前記判定装置は、前記かご内ディスプレイがバックライトを点灯させた状態で予め設定された文字を表示した場合の前記ディスプレイ対応画像部分の情報を用いて、前記かご内ディスプレイの文字表示が正常であるか否かを判定することを特徴とするかご内ディスプレイ点検装置。
【請求項２】
前記判定装置は、前記かご内ディスプレイがバックライトを点灯させた状態で白を全面に表示した場合の前記ディスプレイ対応画像部分の輝度の情報を用いて、前記かご内ディスプレイの白表示が正常であるか否かを判定することを特徴とする請求項１に記載のかご内ディスプレイ点検装置。
【請求項３】
前記判定装置は、前記かご内ディスプレイがバックライトを点灯させた状態で黒を全面に表示した場合の前記ディスプレイ対応画像部分の輝度の情報を用いて、前記かご内ディスプレイの黒表示が正常であるか否かを判定することを特徴とする請求項１または請求項２に記載のかご内ディスプレイ点検装置。
【請求項４】
前記かご内カメラの前記画像の中に含まれるように、点灯可能なかご内釦が前記かごに設けられており、
前記判定装置は、前記画像の中の前記かご内釦に対応する部分である釦対応画像部分の情報を用いて、前記かご内カメラが正常であるか否かを判定することを特徴とする請求項１ないし請求項３の何れか１項に記載のかご内ディスプレイ点検装置。
【請求項５】
前記判定装置の判定結果を外部に通報する通報装置をさらに備えたことを特徴とする請求項１ないし請求項４の何れか１項に記載のかご内ディスプレイ点検装置。
【請求項６】
かご内ディスプレイを点検するかご内ディスプレイ点検装置を用いたかご内ディスプレイ点検方法であって、
かご内カメラにより撮影された画像の中の前記かご内ディスプレイに対応する部分であるディスプレイ対応画像部分の情報を用いて、前記かご内ディスプレイ点検装置が、前記かご内ディスプレイの表示が正常であるか否かを判定する判定工程を備え、
前記判定工程では、前記かご内ディスプレイがバックライトを点灯させた状態で予め設定された文字を表示した場合の前記ディスプレイ対応画像部分の情報を用いて、前記かご内ディスプレイの文字表示が正常であるか否かを判定することを特徴とするかご内ディスプレイ点検方法。
【発明の詳細な説明】
【技術分野】
【０００１】
この発明は、かご内ディスプレイを点検するかご内ディスプレイ点検装置およびかご内ディスプレイ点検装置を用いたかご内ディスプレイ点検方法に関する。
【背景技術】
【０００２】
従来、かご内ディスプレイの表示が正常であるか否かの判定を乗客に依頼するアナウンスを行うスピーカと、判定の依頼を受けた乗客が判定結果を示す所定の釦を操作することにより、かご内のディスプレイの表示が正常であるか否かを判定する判定装置とを備えたかご内ディスプレイ点検装置が知られている（例えば、特許文献１参照）。
【先行技術文献】
【特許文献】
【０００３】
【特許文献１】特開２０１１−２３６０２８号公報
【発明の概要】
【発明が解決しようとする課題】
【０００４】
しかしながら、乗客の判定に誤りがある場合や、乗客の操作に誤りがある場合に、かご内ディスプレイ点検装置が、かご内ディスプレイの表示が正常であるか否かについて誤判定をしてしまうという問題点があった。
【０００５】
この発明は、かご内ディスプレイの表示が正常であるか否かについてより正確に判定することができるかご内ディスプレイ点検装置およびかご内ディスプレイ点検方法を提供するものである。
【課題を解決するための手段】
【０００６】
この発明に係るかご内ディスプレイ点検装置は、かご内ディスプレイを点検するかご内ディスプレイ点検装置であって、画像の中に前記かご内ディスプレイが含まれるようにかご内を撮影するかご内カメラから前記画像の情報を取得し、前記画像の中の前記かご内ディスプレイに対応する部分であるディスプレイ対応画像部分の情報を用いて、前記かご内ディスプレイの表示が正常であるか否かを判定する判定装置を備え、前記判定装置は、前記かご内ディスプレイがバックライトを点灯させた状態で予め設定された文字を表示した場合の前記ディスプレイ対応画像部分の情報を用いて、前記かご内ディスプレイの文字表示が正常であるか否かを判定する。
【０００７】
この発明に係るかご内ディスプレイ点検方法は、かご内ディスプレイを点検するかご内ディスプレイ点検装置を用いたかご内ディスプレイ点検方法であって、かご内カメラにより撮影された画像の中の前記かご内ディスプレイに対応する部分であるディスプレイ対応画像部分の情報を用いて、前記かご内ディスプレイ点検装置が、前記かご内ディスプレイの表示が正常であるか否かを判定する判定工程を備え、前記判定工程では、前記かご内ディスプレイがバックライトを点灯させた状態で予め設定された文字を表示した場合の前記ディスプレイ対応画像部分の情報を用いて、前記かご内ディスプレイの文字表示が正常であるか否かを判定する。
【発明の効果】
【０００８】
この発明に係るかご内ディスプレイ点検装置によれば、画像の中にかご内ディスプレイが含まれるようにかご内を撮影するかご内カメラから画像の情報を取得し、この画像の中のかご内ディスプレイに対応する部分であるディスプレイ対応画像部分の情報を用いて、かご内ディスプレイの表示が正常であるか否かを判定する判定装置を備えているので、かご内ディスプレイの表示が正常であるか否かについてより正確に判定することができる。
【０００９】
この発明に係るかご内ディスプレイ点検方法によれば、かご内カメラにより撮影された画像の中のかご内ディスプレイに対応する部分であるディスプレイ対応画像部分の情報を用いて、かご内ディスプレイ点検装置が、かご内ディスプレイの表示が正常であるか否かを判定する判定工程を備えているので、かご内ディスプレイの表示が正常であるか否かについてより正確に判定することができる。
【図面の簡単な説明】
【００１０】
【図１】この発明の実施の形態１に係るエレベータシステムを示す構成図である。
【図２】図１の点検装置本体を示すブロック図である。
【図３】図１の点検装置の動作を示すフローチャートである。
【発明を実施するための形態】
【００１１】
実施の形態１．
図１はこの発明の実施の形態１に係るエレベータシステムを示す構成図である。図において、エレベータシステムは、かご１と、かご１の内側を照明するかご内照明装置２と、かご１の内側を撮影するかご内カメラ３と、かご１に設けられたかご内ディスプレイ４と、かご１に点灯可能に設けられ、操作されることによりかご出入口が開く戸開釦（かご内釦）５と、かご内照明装置２の点灯および戸開釦５の点灯を制御するエレベータ制御装置６と、かご内ディスプレイ４を点検する点検装置（かご内ディスプレイ点検装置）７と、点検装置７との間で通信可能な監視センタ８とを備えている。
【００１２】
かご内カメラ３は、画像の中にかご内ディスプレイ４および戸開釦５が含まれるように配置されている。
【００１３】
点検装置７は、かご内カメラ３の撮影を制御するとともに、かご内カメラ３から画像の情報を取得する点検装置本体７１と、かご内ディスプレイ４の表示を制御する表示制御装置７２と、監視センタ８との間で通信を行う通報装置７３とを有している。表示制御装置７２は、点検装置本体７１に接続されている。点検装置本体７１は、表示制御装置７２を介して、かご内ディスプレイ４を制御することができるようになっている。エレベータ制御装置６および点検装置本体７１は、それぞれが通報装置７３に接続されており、通報装置７３を介して互いに通信が可能となっている。
【００１４】
図２は図１の点検装置本体７１を示すブロック図である。図において、点検装置本体７１は、かご内カメラ３から取得した画像の中のかご内ディスプレイ４に対応する部分であるディスプレイ対応画像部分の情報を用いて、ディスプレイ対応画像部分の輝度を測定し、また、かご内カメラ３から取得した画像の中の戸開釦５に対応する部分である釦対応画像部分の情報を用いて、釦対応画像部分の輝度を測定する輝度測定装置７１１を有している。かご内カメラ３から取得した画像に予め設定されたマスクをかけることにより、ディスプレイ対応画像部分や釦対応画像部分が抽出される。
【００１５】
また、点検装置本体７１は、かご内カメラ３から取得したディスプレイ対応画像部分の情報を用いて、かご内ディスプレイ４に表示された文字を認識する文字認識装置７１２と、輝度測定装置７１１の測定結果および文字認識装置７１２の認識結果が入力され、かご内ディスプレイ４の表示が正常であるか否かを判定する判定装置７１３とを有している。
【００１６】
判定装置７１３は、表示制御装置７２を介して、かご内ディスプレイ４の表示を制御するようになっている。判定装置７１３は、かご内ディスプレイ４の白表示の点検を行う場合には、かご内ディスプレイ４にバックライトを点灯させた状態で白を全面に表示させる。また、判定装置７１３は、かご内ディスプレイ４の黒表示の点検を行う場合には、かご内ディスプレイ４にバックライトを点灯させた状態で黒を全面に表示させる。また、判定装置７１３は、かご内ディスプレイ４の文字表示の点検を行う場合には、かご内ディスプレイ４にバックライトを点灯させた状態で予め設定された文字を表示させる。
【００１７】
また、判定装置７１３は、かご内ディスプレイ４がバックライトを点灯させた状態で白を全面に表示した場合の輝度測定装置７１１の測定結果を用いて、かご内ディスプレイ４の白表示が認識可能であるか否かを判定する。つまり、判定装置７１３は、かご内ディスプレイ４がバックライトを点灯させた状態で白を全面に表示した場合のディスプレイ対応画像部分の輝度の情報を用いて、かご内ディスプレイ４の白表示が正常であるか否かを判定する。白表示が正常であるか否かの基準となる輝度は、判定装置７１３に予め設定されている。
【００１８】
また、判定装置７１３は、かご内ディスプレイ４がバックライトを点灯させた状態で黒を全面に表示した場合の輝度測定装置７１１の測定結果を用いて、かご内ディスプレイ４の一定以上の範囲が黒であるか否かを判定する。つまり、判定装置７１３は、かご内ディスプレイ４がバックライトを点灯させた状態で黒を全面に表示した場合のディスプレイ対応画像部分の輝度の情報を用いて、かご内ディスプレイ４の黒表示が正常であるか否かを判定する。黒表示が正常であるか否かの基準となる範囲は、判定装置７１３に予め設定されている。
【００１９】
また、判定装置７１３は、かご内ディスプレイ４がバックライトを点灯させた状態で予め設定された文字を表示した場合の文字認識装置７１２の認識結果を用いて、かご内ディスプレイ４の文字表示が認識可能であるか否かを判定する。つまり、判定装置７１３は、かご内ディスプレイ４がバックライトを点灯させた状態で予め設定された文字を表示した場合のディスプレイ対応画像部分の情報を用いて、かご内ディスプレイ４の文字表示が正常であるか否かを判定する。
【００２０】
また、判定装置７１３は、かご内カメラ３から取得した釦対応画像部分についての輝度測定装置７１１の測定結果を用いて、戸開釦５が認識可能であるか否かを判定する。つまり、判定装置７１３は、釦対応画像部分の輝度の情報を用いて、かご内カメラ３が正常であるか否かを判定する。
【００２１】
次に、点検装置７によるかご内ディスプレイ４の点検方法について説明する。図３は図１の点検装置７の動作を示すフローチャートである。まず、点検装置７は、エレベータ制御装置６を介して、かご内照明装置２を消灯させ、さらに、戸開釦５を点灯させる（照明消灯釦点灯工程）（ステップＳ１０１）。
【００２２】
その後、点検装置７は、かご内カメラ３により撮影された画像の取得を開始する（ステップＳ１０２）。
【００２３】
その後、点検装置７は、かご内カメラ３から取得した釦対応画像部分の輝度の情報を用いて、戸開釦５が認識可能であるか否かを判定する（カメラ正常判定工程）（ステップＳ１０３）。ステップＳ１０３で、戸開釦５が認識可能ではないと点検装置７が判定すると、点検装置７は、異常が発生した旨を監視センタ８に通報し（通報工程）（ステップＳ１０４）、その後、点検装置７によるかご内ディスプレイ４の点検が終了する。
【００２４】
一方、ステップＳ１０３で、戸開釦５が認識可能であると点検装置７が判定すると、点検装置７は、かご内ディスプレイ４のバックライトを点灯させ、さらに、かご内ディスプレイ４に白を全面に表示させる（白表示工程）（ステップＳ１０５）。
【００２５】
その後、点検装置７は、ディスプレイ対応画像部分の輝度の情報を用いて、かご内ディスプレイ４の白表示が認識可能であるか否かを判定する（白表示正常判定工程）（ステップＳ１０６）。ステップＳ１０６で、かご内ディスプレイ４の白表示が認識可能ではないと点検装置７が判定すると、ステップＳ１０４に進む。
【００２６】
一方、ステップＳ１０６で、かご内ディスプレイ４の白表示が認識可能であると点検装置７が判定すると、点検装置７は、かご内ディスプレイ４のバックライトを点灯させたまま、さらに、かご内ディスプレイ４に黒を全面に表示させる（黒表示工程）（ステップＳ１０７）。
【００２７】
その後、点検装置７は、ディスプレイ対応画像部分の輝度の情報を用いて、かご内ディスプレイ４の一定以上の範囲が黒であるか否かを判定する（黒表示正常判定工程）（ステップＳ１０８）。ステップＳ１０８で、かご内ディスプレイ４の一定以上の範囲が黒ではないと点検装置７が判定すると、ステップＳ１０４に進む。
【００２８】
一方、ステップＳ１０８で、かご内ディスプレイ４の一定以上の範囲が黒であると点検装置７が判定すると、点検装置７は、かご内ディスプレイ４のバックライトを点灯させたまま、さらに、かご内ディスプレイ４に予め設定された文字を表示させる（文字表示工程）（ステップＳ１０９）。
【００２９】
その後、点検装置７は、ディスプレイ対応画像部分の情報を用いて、かご内ディスプレイ４の文字表示が認識可能であるか否かを判定する（文字表示正常判定工程）（ステップＳ１１０）。ステップＳ１１０で、かご内ディスプレイ４の文字表示が認識可能ではないと点検装置７が判定すると、ステップＳ１０４に進む。一方、ステップＳ１１０で、かご内ディスプレイ４の文字表示が認識可能であると点検装置７が判定すると、そのまま、点検装置７によるかご内ディスプレイ４の点検が終了する。
【００３０】
以上説明したように、この発明の実施の形態１に係る点検装置によれば、画像の中にかご内ディスプレイ４が含まれるようにかご１の内側を撮影するかご内カメラ３から画像の情報を取得し、この画像の中のかご内ディスプレイ４に対応する部分であるディスプレイ対応画像部分の情報を用いて、かご内ディスプレイ４の表示が正常であるか否かを判定する判定装置７１３を備えているので、かご内ディスプレイ４の表示が正常であるか否かについてより正確に判定することができる。
【００３１】
また、判定装置７１３は、かご内ディスプレイ４がバックライトを点灯させた状態で白を全面に表示した場合のディスプレイ対応画像部分の輝度の情報を用いて、かご内ディスプレイ４の白表示が正常であるか否かを判定するので、例えば、バックライトの故障を検出することができる。
【００３２】
また、判定装置７１３は、かご内ディスプレイ４がバックライトを点灯させた状態で黒を全面に表示した場合のディスプレイ対応画像部分の輝度の情報を用いて、かご内ディスプレイ４の黒表示が正常であるか否かを判定するので、例えば、ドット欠け等の故障を検出することができる。
【００３３】
また、判定装置７１３は、かご内ディスプレイ４がバックライトを点灯させた状態で予め設定された文字を表示した場合のディスプレイ対応画像部分の情報を用いて、かご内ディスプレイ４の文字表示が正常であるか否かを判定するので、例えば、かご内ディスプレイ４のコントラストの低下を検出することができる。
【００３４】
また、判定装置７１３は、かご内カメラ３から取得した画像の中の戸開釦５に対応する部分である釦対応画像部分の情報を用いて、かご内カメラ３が正常であるか否かを判定するので、かご内カメラ３の異常を検出することができる。
【００３５】
また、点検装置７は、判定装置７１３の判定結果を監視センタ８に通報する通報装置７３を備えているので、かご内ディスプレイ４の表示に異常が発生した場合や、かご内カメラ３に異常が発生した場合に、その旨を監視センタ８に通報することができる。
【００３６】
また、この発明の実施の形態１に係るかご内ディスプレイ点検方法によれば、かご内カメラにより撮影された画像の中のかご内ディスプレイ４に対応する部分であるディスプレイ対応画像部分の情報を用いて、点検装置７がかご内ディスプレイ４の表示が正常であるか否かを判定する判定工程を備えているので、かご内ディスプレイ４の表示が正常であるか否かについてより正確に判定することができる。
【００３７】
なお、上記実施の形態１では、かご内カメラ３が正常ではない場合およびかご内ディスプレイ４の表示が正常ではない場合にのみ、監視センタ８に通報する構成について説明したが、かご内カメラ３が正常である場合またはかご内ディスプレイ４の表示が正常である場合に、その旨を監視センタ８に通報する構成であってもよい。
【符号の説明】
【００３８】
１  かご、２  かご内照明装置、３  かご内カメラ、４  かご内ディスプレイ、５  戸開釦（かご内釦）、６  エレベータ制御装置、７  点検装置（かご内ディスプレイ点検装置）、８  監視センタ（外部）、７１  点検装置本体、７２  表示制御装置、７３  通報装置、７１１  輝度測定装置、７１２  文字認識装置、７１３  判定装置。
【図１】
0005875450.tif 000002
【図２】
0005875450.tif 000003
【図３】
0005875450.tif 000004